(57)【要約】      （修正有）【課題】昇塔防止装置の装着部材が、鉄塔部材の断面形状と寸法に対してある程度の誤差を含んでいても、装着時に、装着部材が鉄塔部材に十分に密着し、確実に固定できる昇塔防止装置を提供する。【解決手段】鉄塔部材２を一対の装着部材３、３で挟み込み、装着部材３、３同士を連結する連結箇所の少なくとも１箇所に、装着部材端部３ａ、３ａ同士の間に隙間を形成するためのフィラー４ａを設ける。フィラー４ａと鉄塔部材２の表面との間に位置する一対の装着部材端部３ａ、３ａの区間（締付け区間ｄ）は空隙とし、この区間の一対の装着部材端部３ａ、３ａを貫通する締付けボルト５を、少なくとも１本以上設ける。また、一対の装着部材端部３ａ、３ａと鉄塔部材２表面との接触位置に接触片８を取付け、もしくは一対の装着部材端部３ａ、３ａの一部として接触片８を形成してもよい。その接触片８の両先端間寸法は一対の装着部材３ａ、３ａの幅よりも長くする。【選択図】図４
2018109332.tif 000002
【特許請求の範囲】
【請求項１】
鉄塔部材に取り付けられる昇塔防止装置であって、前記昇塔防止装置は少なくとも２以上の装着部材からなり、前記装着部材にて前記鉄塔部材を挟み込むようになっており、前記装着部材同士が連結される連結箇所の少なくとも１箇所に、前記装着部材同士の端部間に隙間を形成するためのフィラーを介在させ、前記フィラーと前記鉄塔部材表面との区間は空隙とし、前記区間に対応する装着部材同士の端部間を貫通するように締付けボルトを少なくとも１本以上設けたことを特徴とする昇塔防止装置。
【請求項２】
請求項１記載の昇塔防止装置において、前記装着部材の端部と前記鉄塔部材表面との接触位置に前記鉄塔部材の長手方向に延びる接触片を設け、もしくは前記装着部材の端部の一部として接触片を形成し、前記接触片の両先端間寸法を前記一対の装着部材の幅よりも長くしたことを特徴とする昇塔防止装置。
【発明の詳細な説明】
【技術分野】
【０００１】
本発明は、通信鉄塔や送電鉄塔等（以下、鉄塔等と称す）の昇塔防止装置に関するものである。
【背景技術】
【０００２】
従来、鉄塔等に関係者以外の人が許可なく昇ることを防止するため、図１のように鉄塔等の脚部１０付近の柱主材や斜材に、昇塔防止装置１を設置している。
【０００３】
図２は、従来の昇塔防止装置１の一例を示した断面図であり、鉄塔部材２が鋼管の場合を示している。一対の装着部材３、３には、鋼管部材２ａの半径方向に複数の昇塔防止バー６、６・・・が取付けられ、それらは変形防止のため繋ぎ材７、７で繋がれている。装着部材３、３両端の装着部材端部３ａ、３ａにある連結ボルト４、４が、一対の装着部材３、３を連結して一体化すると同時に、鉄塔部材２を外側から締付けて昇塔防止装置１を固定する。
【０００４】
図２のような従来の昇塔防止装置１では、装着部材３、３の形状と寸法を鋼管部材２ａに合わせて製作するが、鋼管は真円ではなく、直径も製造誤差があるため、鋼管の公称寸法で装着部材３、３を製作すると、鋼管部材２ａに装着した時に、装着部材３、３が密着せず確実な固定状態が得られない可能性があった。
【０００５】
上記装着部材の取付け方法について関連する先行技術としては、例えば特許文献１および２がある。
【０００６】
特許文献１に開示されている昇塔防止装置は、昇塔防止ユニットを鉄塔等の脚柱の周方向に複数個に分割し、その分割した複数個の昇塔防止ユニットを、一対の支持部材を介して鉄塔等に取付け支持させる構成とし、その支持部材の脚柱との当接部を平面視で略山形に形成して、両支持部材間に脚柱等を挟んでボルト・ナットで締付け固定するようにすると共に、その支持部材に分割した昇塔防止ユニットを、それぞれ脚柱等の略周方向に位置調整可能に取付けたものである。
【０００７】
この方法によれば、脚柱等との当接部を平面視で略山形に形成した一対の支持部材間に、脚柱等を挟んでボルト・ナットで締付け固定するようにしたので、径の大きさが異なる場合にも昇塔防止装置を容易に取付けることができるとしている。よって、径の大きい脚柱では、一対の支持部材同士は密着せず隙間が空くので、ボルト・ナットで締付けた時に、支持部材の端部が曲り易くなる。それを防止するため、特許文献１（例えば、図２）の支持部材（当板２１）の断面形を山形にして曲げ剛性を高めている。
【０００８】
特許文献２には、電柱等に巻かれた円形バンド等の耳部のボルトを締付けた時、そのボルトの締付け力によって耳部が変形し、円形バンド等の電柱等への締付け力が損なわれることを防止することを課題とした、柱状体に取付ける板体の締付け構造が開示されている。
【０００９】
円形バンド等は、従来、それぞれ湾曲させて半環状に設けた二つの板体の両端部を折り曲げて一定長相互に平行にそれぞれ伸ばして耳部として設け、両耳部を貫通させたボルトを締付けるが、強く締め付けると両耳部は剛性不足により曲がるため（特許文献２の図９参照）、円形バンド等の電柱等への締付け力が十分に確保されないことがあった。
【００１０】
この問題を解決するため、特許文献２では、従来の補強方法（図１０〜図１２）と共に、発明であるボルトホルダーを用いた補強方法（図１〜図３）を開示している。
【００１１】
上記特許文献１および２の発明は、脚柱や電柱等の径の寸法が異なっても、確実に締付け力を確保できる構造だが、鉄塔等の部材に合わせて製作した昇塔防止装置において、その部材に装着した時、製作誤差のために装着部材が密着せず確実な固定状態が得られないという事態を防止するという目的に限定した場合においては、上記の先行技術よりも、装着作業効率を確保しつつ、より簡易で安価な方法が望まれる。
【先行技術文献】
【特許文献】
【００１２】
【特許文献１】特開平０８−０６８２３７号公報
【特許文献２】特開２００６−２９２０３７号公報
【発明の概要】
【発明が解決しようとする課題】
【００１３】
本発明は、鉄塔等構築物の部材（以下、鉄塔部材と称す）に合わせて製作した昇塔防止装置の装着部材が、鉄塔部材の断面形状と寸法に対してある程度の誤差を含んでいても、鉄塔部材に装着した時に、装着部材が前記鉄塔部材に十分に密着して、確実な固定状態を確保できる昇塔防止装置を提供することを目的とする。
【課題を解決するための手段】
【００１４】
本発明に係る昇塔防止装置は、鉄塔部材に取り付けられる昇塔防止装置であって、前記昇塔防止装置は少なくとも２以上の装着部材からなり、前記装着部材にて前記鉄塔部材を挟み込むようになっており、前記装着部材同士が連結される連結箇所の少なくとも１箇所に、前記装着部材同士の端部間に隙間を形成するためのフィラーを介在させ、前記フィラーと前記鉄塔部材表面との区間は空隙とし、この区間（以下、締付け区間と称す）に対応する装着部材同士の端部間を貫通するように締付けボルトを少なくとも１本以上設けたことを特徴とするものである。
【００１５】
本発明の構成をより詳しく説明する。昇塔防止装置は、少なくとも一対の装着部材により鉄塔部材を挟み込み、装着部材の一部を構成する装着部材端部に取付けられた連結ボルト等と締付けボルトとを締付けて鉄塔部材に装着するものである。
【００１６】
装着部材端部同士の間には、少なくとも１箇所に、相互に一定の間隔を保持するためのフィラーが挿入されている。例えば１本以上の連結ボルトをフィラーに貫通させて、一対の装着部材端部を連結させる。
【００１７】
装着部材同士の端部には、フィラーと鉄塔部材表面との間に締付け区間を設け、この締付け区間における一対の装着部材端部の隙間は空隙のままとして、１本以上の締付けボルトを貫通させる。
【００１８】
以上のような構成なので、昇塔防止装置の２以上の装着部材により鉄塔部材を挟み込んで取付けた状態で、装着部材端部に取付けられた連結ボルト等を締付けると、フィラーの厚みにより装着部材端部の一部である締付け区間に空隙が確保される。
【００１９】
また、締付けボルトを締付ければ、締付け区間にはフィラーがないので、この締付け区間における一対の装着部材端部は湾曲して内側に引き込まれ、一対の装着部材に鉄塔部材を締付ける力（張力）が導入される。
【００２０】
締付け区間が湾曲して内側に引き込まれる時、締付け区間の両端部がフィラーと鉄塔部材表面とで拘束されるため、締付けボルトのナットを少し回転させるだけで、フィラーを設けない場合よりも、装着部材により大きな張力を導入することが可能となる。
【００２１】
よって、締付け区間の締付けボルトを締付けるだけで、簡単に、装着部材が鉄塔部材に締付ける力（張力）を導入することが可能なので、鉄塔部材の形状と寸法の誤差を考慮して、装着部材をやや大きく製作しても、装着後の昇塔防止装置の固定度を容易に確保できる。
【００２２】
また、本発明の昇塔防止装置において、装着部材の端部と鉄塔部材表面との接触位置に鉄塔部材の長手方向に延びる接触片を設け、もしくは装着部材の端部の一部として接触片を形成し、接触片の両先端間寸法を前記一対の装着部材の幅よりも長くするようにしてもよい。
【００２３】
鉄塔部材に装着された昇塔防止装置の締付け区間の締付けボルトを締付けることにより、一対の装着部材に鉄塔部材を締付ける力（張力）が導入されると、一対の装着部材端部の一般部の幅よりも長い寸法の接触片も同時に、鉄塔部材の表面に密着するので、装着後の昇塔防止装置がぐらつこうとしても、その回転を抑制する効果が得られる。
【００２４】
即ち、前述の締付け区間の締付けボルトによる締付け力（張力）の導入効果とも相まって、装着後の昇塔防止装置の固定度確保がより確実となる。以上が本発明による解決手段である。
【発明の効果】
【００２５】
本発明は、以上のような昇塔防止装置なので、次のような効果が得られる。
（１）装着部材と鉄塔部材との形状と寸法に誤差があっても、締付け区間の締付けボルトを少し締付けるだけで、装着後の昇塔防止装置の固定度を容易に確保できる。
（２）装着部材と鉄塔部材との形状と寸法の誤差を考慮して、一対の装着部材をやや大きく製作すればよいため、昇塔防止装置を製作する時に、高い精度は必要ではない。
（３）昇塔防止装置を鉄塔部材に装着するための締付け力導入機構が極めて簡単なので、現場での装着作業効率がよく、かつ安価である。
（４）鉄塔部材として、鋼管のみでなくＬ形鋼等の実際に用いられている断面形状の部材にも適用が可能である。
【図面の簡単な説明】
【００２６】
【図１】一般的な昇塔防止装置の鉄塔への取付け位置を概略的に示した側面図である。
【図２】従来の昇塔防止装置の一例を示した断面図である。
【図３】本発明に係る昇塔防止装置の第１実施例を示しており、鉄塔部材が鋼管である場合の断面図である。
【図４】本発明に係る昇塔防止装置の第２実施例における断面図（左右対称につき半分のみ表示）を示しており、（ａ）は接触片８を一対の装着部材端部の内側に取付けた場合、（ｂ）は接触片８を一対の装着部材端部３ａ、３ａの一部として形成した場合を示している。
【図５】図４におけるＡ−Ａ断面視である。
【図６】図３の実施形態において、締付けボルトの締付け後の状態を示す装着部材端部の断面図である。
【図７】図４（ａ）の実施形態において、締付けボルトの締付け後の状態を示す装着部材端部の断面図である。
【図８】図３の実施形態において、昇塔防止バーを下向きに広げた場合の正面図である。
【図９】図４の実施形態において、昇塔防止バーを下向きに広げた場合の正面図である。
【図１０】本発明に係る昇塔防止装置の一実施形態において、鉄塔部材にＬ形鋼部材を用いた場合の断面図である。
【図１１】図１０の実施形態において、Ｌ形鋼部材と装着部材との間に接触片を設けた場合の断面図である。
【発明を実施するための形態】
【００２７】
以下、本発明の実施の形態について、詳細に説明する。なお、本発明は、以下に説明する実施形態に限定されるものではない。
【００２８】
本発明を、図３〜図９を参照して、鉄塔部材が鋼管の場合の実施例を説明する。図３に、本発明の第１実施例を示す。昇塔防止装置１は、一対の装着部材３、３により鉄塔部材２を挟み込み、一対の装着部材３、３の一部を構成する一対の装着部材端部３ａ、３ａに取付けられた連結ボルト４と締付けボルト５とを締付けて鉄塔部材２に装着する。
【００２９】
一対の装着部材端部３ａ、３ａ同士の間には、相互に一定の間隔を保持するためのフィラー４ａが挿入されており、連結ボルト４が前記フィラー４ａを貫通している。フィラー４ａは、一対の装着部材端部３ａ、３ａのどちらかの内側に取付けてあってもよい。
【００３０】
一対の装着部材端部３ａ、３ａには、フィラー４ａと鉄塔部材２の表面との間に締付け区間ｄを設け、締付けボルト５を貫通させる。この締付け区間ｄにおける一対の装着部材端部３ａ、３ａ同士の隙間は空隙のままとする。
【００３１】
以上のような構成なので、昇塔防止装置１を、一対の装着部材３、３により鉄塔部材２を挟み込んで取付けた状態で、一対の装着部材端部３ａ、３ａに取付けられた連結ボルト４を締め付けると、フィラー４ａの厚みにより一対の装着部材端部３ａ、３ａの一部である締付け区間ｄに空隙が確保される。
【００３２】
次に、締付けボルト５を締付ければ、図６のように、締付け区間ｄにはフィラー４ａがないので、この締付け区間ｄの一対の装着部材端部３ａ、３ａは湾曲して内側に引き込まれ、一対の装着部材３、３に鉄塔部材２を締付ける力（張力）が導入される。
【００３３】
締付け区間が湾曲して内側に引き込まれるその時、締付け区間ｄの両端部がフィラー４ａと鉄塔部材２表面とで拘束されているので、フィラー４ａを設けない場合よりも、締付けボルト５のナットを少し回転させるだけで、一対の装着部材３、３にはより大きな張力を導入することが可能となる。
【００３４】
よって、締付け区間ｄの締付けボルト５を少し締付けるだけで、簡単に、一対の装着部材３、３が鉄塔部材２を締付ける力を導入することが可能になるため、鉄塔部材２の形状と寸法の誤差を考慮して、一対の装着部材３、３をやや大きく製作しても、装着後の昇塔防止装置１の固定度を容易に確保できる。即ち、一対の装着部材３の形状と寸法は、高い製作精度を要求されない。
【００３５】
第１実施例の図３においては、昇塔防止バー６、６・・・は鉄塔部材２の表面に垂直に配置されているが、図８のように、昇塔防止バー６、６・・・を下向きに広げて形成すれば、人がより昇塔し難くなり効果的である。
【００３６】
本発明の第２実施例を、図４、５、７、９の各図を参照して説明する。昇塔防止装置１は、第１実施例において、一対の装着部材端部３ａ、３ａと鉄塔部材２の表面との接触位置に、接触片８、８を一対の装着部材端部３ａ、３ａの内側に取付け（図４（ａ）、図５（ａ）参照）もしくは一対の装着部材端部３ａ、３ａの一部として形成し（図４（ｂ） 、図５（ｂ）参照）、その接触片８、８は、図５のように、一対の装着部材３の幅よりも長い寸法で鉄塔部材２の表面に接触するようにしたものである。
【００３７】
よって、図７のように、一対の装着部材端部３ａ、３ａの締付け区間ｄにはフィラー４ａがないので、締付けボルト５を締付ければ、この締付け区間ｄにおける一対の装着部材端部３ａ、３ａは湾曲して内側に引き込まれ、一対の装着部材３、３に鉄塔部材２を締付ける力（張力）が導入されると同時に、接触片８、８が鉄塔部材２の表面に密着するので、装着後の昇塔防止装置１がぐらつこうとしても、その回転を抑制する効果が得られる。
【００３８】
つまり、一対の装着部材端部３ａ、３ａ同士はフィラー４ａがあるため密着しないので、締付け区間ｄの空隙に対応する範囲については、鉄塔部材２の表面を拘束するものがない、という弱点に対する補強の役目を有する。
【００３９】
以上より、接触片８、８を設けることにより、前述の締付け区間ｄの締付けボルト５による締付け力（張力）導入効果とも相まって、装着後の昇塔防止装置１の固定度確保をより確実にする。
【００４０】
図９は、上記の第２実施例の応用例である。鉄塔部材２は鋼管部材２ａであり、接触片８、８を下側に延長して、その他の昇塔防止バー６、６・・・に合わせた形状に成形し、昇塔防止バーを兼用したものである。
【００４１】
なお、図３〜図９の実施例では、昇塔防止装置１は２分割された場合（装着部材３、３は一対）であるが、３分割以上であっても、本発明が適用できることは勿論である。
【００４２】
図１０と図１１は、Ｌ形鋼の鉄塔部材２に本発明を適用した場合であり、それぞれ、第１実施例と第２実施例の応用例である。
【００４３】
鉄塔部材２がＬ形鋼なので、一対の装着部材３、３と相手材９とで鉄塔部材２を取囲み、連結ボルト４、４、・・・にて各部材を連結している。また、鉄塔部材２がＬ形鋼なので、一対の装着部材３、３が鉄塔部材２と相対する部分は直線になっている。
【００４４】
図１０と図１１のどちらの場合も、締付けボルト５のナットを締付けて、締付け区間ｄの空隙の間隔を狭めれば、一対の装着部材３、３に張力が導入され、Ｌ形鋼の３つの頂点と一対の装着部材３、３及び相手材９とが強く密着するので、装着後の昇塔防止装置１はしっかり固定される。
【００４５】
特に、図１１の場合は、接触片８、８があるので、装着後の昇塔防止装置１の固定度確保がより確実になる。
【００４６】
図１０と図１１の場合では、昇塔防止装置１は、図面の右半分と左半分とに分割した状態で現場搬入し、鉄塔部材２に取付け、全ての連結ボルト４、４、・・・で両者を連結した後、締付けボルト５を締付けることができる。
【産業上の利用可能性】
【００４７】
本発明は、簡単な機構にして、装着後の昇塔防止装置の固定度確保が簡単にできるので、装着作業が効率的で、かつ安価な昇塔防止装置を提供することができる。
【符号の説明】
【００４８】
１：昇塔防止装置
２：鉄塔部材
２ａ：鋼管部材
３：装着部材
３a：装着部材端部
４：連結ボルト
４a：フィラー
５：締付けボルト
６：昇塔防止バー
７：繋ぎ材
８：接触片
９：相手材
１０：鉄塔等の脚部
ｄ：締付け区間
【図１】
2018109332.tif 000003
【図２】
2018109332.tif 000004
【図３】
2018109332.tif 000005
【図４】
2018109332.tif 000006
【図５】
2018109332.tif 000007
【図６】
2018109332.tif 000008
【図７】
2018109332.tif 000009
【図８】
2018109332.tif 000010
【図９】
2018109332.tif 000011
【図１０】
2018109332.tif 000012
【図１１】
2018109332.tif 000013